【手続補正書】
【提出日】平成20年8月28日(2008.8.28)
【手続補正１】
【補正対象書類名】明細書
【補正対象項目名】発明の名称
【補正方法】変更
【補正の内容】
【発明の名称】情報提供システム、情報処理装置および方法、通信端末、並びにプログラム
【手続補正２】
【補正対象書類名】明細書
【補正対象項目名】特許請求の範囲
【補正方法】変更
【補正の内容】
【特許請求の範囲】
【請求項１】  情報処理装置と通信端末からなる情報提供システムにおいて、
前記情報処理装置は、
提供する情報に関する案内をそれぞれ表示する複数の表示部と、複数の前記表示部にそれぞれ配置され、近接された前記通信端末と電磁波を介して通信する第１の無線通信部を有し、
複数の前記第１の無線通信部のうち、前記通信端末が近接された前記第１の無線通信部による第１の通信を利用して、前記通信端末の識別情報を取得する第１の取得処理手段と、
前記第１の取得処理手段により取得された前記識別情報に基づいて、前記第１の無線通信部と異なる、第２の無線通信部を用いた第２の通信のための同期を前記通信端末との間で確立する第１の同期確立処理手段と、
前記通信端末が近接された前記第１の無線通信部を特定する特定処理手段と、
前記特定処理手段により特定された前記第１の無線通信部に応じて、前記通信端末に対して提供する情報を取得する情報取得処理手段と、
前記第１の同期確立処理手段により同期が確立された前記通信端末に対して
、前記情報取得処理手段により取得された前記情報を前記第２の通信により提供する第１の提供処理手段と
を備え、
前記通信端末は、
前記情報処理装置からの要求に応じて、電磁波を受信することにより発生された誘起電力に基づいて動作する第３の無線通信部による前記第１の通信を利用して、自らの前記識別情報を提供する第２の提供処理手段と、
前記第３の無線通信部と異なる、第４の無線通信部を用いた前記第２の通信のための同期を前記情報処理装置との間で確立する第２の同期確立処理手段と、
前記第２の同期確立処理手段により同期が確立された前記第２の通信を利用して、前記情報処理装置から送信されてきた前記情報を受信する受信処理手段と、
前記受信処理手段により受信された前記情報を出力する出力処理手段と
を備える
情報提供システム。
【請求項２】  提供する情報に関する案内をそれぞれ表示する複数の表示部と、複数の前記表示部にそれぞれ配置され、近接された通信端末と電磁波を介して通信する第１の無線通信部を有する情報処理装置において、
複数の前記第１の無線通信部のうち、前記通信端末が近接された前記第１の無線通信部による第１の通信を利用して、前記通信端末の識別情報を取得する第１の取得処理手段と、
前記第１の取得処理手段により取得された前記識別情報に基づいて、前記第１の無線通信部と異なる、第２の無線通信部を用いた第２の通信のための同期を前記通信端末との間で確立する同期確立処理手段と、
前記通信端末が近接された前記第１の無線通信部を特定する特定処理手段と、
前記特定処理手段により特定された前記第１の無線通信部に応じて、前記通信端末に対して提供する情報を取得する情報取得処理手段と、
前記同期確立処理手段により同期が確立された前記通信端末に対して、前記情報取得処理手段により取得された前記情報を前記第２の通信により提供する提供処理手段と
を備える情報処理装置。
【請求項３】  前記同期確立処理手段は、前記情報処理装置の近傍に存在する、前記通信端末を含む複数の端末からそれぞれの端末に関する属性情報を取得し、前記識別情報に基づいて、前記識別情報に対応する前記属性情報を送信してきた前記通信端末との間で同期を確立する
請求項２に記載の情報処理装置。
【請求項４】  前記提供処理手段は、前記同期確立処理手段により同期が確立された前記情報処理装置の近傍に存在する、前記通信端末を含む複数の端末からそれぞれの端末名情報を取得し、前記識別情報に基づいて、前記識別情報に対応する前記端末名情報を送信してきた前記通信端末を特定し、前記通信端末に対して前記情報を提供する
請求項２に記載の情報処理装置。
【請求項５】  前記情報取得処理手段は、前記通信端末に提供する前記情報を、前記情報処理装置に設けられる記憶部、または前記情報処理装置の近傍に設けられる記憶部から取得する
請求項２に記載の情報処理装置。
【請求項６】  前記情報取得処理手段は、前記通信端末に提供する前記情報を、ネットワークを介して所定のサーバから取得する
請求項２に記載の情報処理装置。
【請求項７】  前記表示部に表示される前記案内を、他の案内に変更する変更処理手段をさらに備え、
前記情報取得処理手段は、前記変更処理手段により変更された前記他の案内に応じて、前記通信端末に対して提供する前記情報を取得する
請求項２に記載の情報処理装置。
【請求項８】  提供する情報に関する案内をそれぞれ表示する複数の表示部と、複数の前記表示部にそれぞれ配置され、近接された通信端末と電磁波を介して通信する第１の無線通信部を有する情報処理装置の情報処理方法において、
複数の前記第１の無線通信部のうち、前記通信端末が近接された前記第１の無線通信部による第１の通信を利用して、前記通信端末の識別情報を取得する第１の取得処理ステップと、
前記第１の取得処理ステップの処理により取得された前記識別情報に基づいて、前記第１の無線通信部と異なる、第２の無線通信部を用いた第２の通信のための同期を前記通信端末との間で確立する同期確立処理ステップと、
前記通信端末が近接された前記第１の無線通信部を特定する特定処理ステップと、
前記特定処理ステップの処理により特定された前記第１の無線通信部に応じて、前記通信端末に対して提供する情報を取得する情報取得処理ステップと、
前記同期確立処理ステップの処理により同期が確立された前記通信端末に対して、前記情報取得処理ステップの処理により取得された前記情報を前記第２の通信により提供する提供処理ステップと
を含む情報処理方法。
【請求項９】  提供する情報に関する案内をそれぞれ表示する複数の表示部と、複数の前記表示部にそれぞれ配置され、近接された通信端末と電磁波を介して通信する第１の無線通信部を有する情報処理装置のプログラムにおいて、
複数の前記第１の無線通信部のうち、前記通信端末が近接された前記第１の無線通信部による第１の通信を利用して、前記通信端末の識別情報を取得する第１の取得処理ステップと、
前記第１の取得処理ステップの処理により取得された前記識別情報に基づいて、前記第１の無線通信部と異なる、第２の無線通信部を用いた第２の通信のための同期を前記通信端末との間で確立する同期確立処理ステップと、
前記通信端末が近接された前記第１の無線通信部を特定する特定処理ステップと、
前記特定処理ステップの処理により特定された前記第１の無線通信部に応じて、前記通信端末に対して提供する情報を取得する情報取得処理ステップと、
前記同期確立処理ステップの処理により同期が確立された前記通信端末に対して、前記情報取得処理ステップの処理により取得された前記情報を前記第２の通信により提供する提供処理ステップと
をコンピュータに実行させるプログラム。
【請求項１０】  情報処理装置と通信端末からなる情報提供システムにおいて、
前記情報処理装置は、
提供する情報に関する案内をそれぞれ表示する複数の表示部と、複数の前記表示部にそれぞれ配置され、近接された前記通信端末から送信された電磁波を受信することにより発生された誘起電力に基づいて動作する第１の無線通信部を有し、
複数の前記第１の無線通信部のうち、前記通信端末が近接された前記第１の無線通信部に対して設定されている第１の識別情報と、自分自身の第２の識別情報を、前記通信端末が近接された前記第１の無線通信部による第１の通信を利用して前記通信端末に提供する第１の提供処理手段と、
前記第１の無線通信部と異なる、第２の無線通信部を用いた第２の通信のための同期を前記通信端末との間で確立する第１の同期確立処理手段と、
前記第１の同期確立処理手段により同期が確立された前記第２の通信を利用して、前記通信端末から前記第１の識別情報が送信されてきたとき、前記第１の識別情報に対応する情報を取得する情報取得処理手段と、
前記情報取得処理手段により取得された前記情報を、前記第２の通信を利用して前記通信端末に提供する第２の提供処理手段と
を備え、
前記通信端末は、
前記情報処理装置に設けられている複数の前記第１の無線通信部のうち、近接された前記第１の無線通信部と電磁波を介して通信する第３の無線通信部を有し、
前記第３の無線通信部による前記第１の通信を利用して、近接された前記第１の無線通信部に設定されている前記第１の識別情報と、前記情報処理装置に設定されている前記第２の識別情報を取得する取得処理手段と、
前記取得処理手段により取得された前記第２の識別情報に基づいて、前記第３の無線通信部と異なる、第４の無線通信部を用いた前記第２の通信のための同期を前記情報処理装置との間で確立する第２の同期確立処理手段と、
前記第２の同期確立処理手段により同期が確立された前記第２の通信を利用して、前記取得処理手段により取得された前記第１の識別情報を前記情報処理装置に送信し、前記第１の識別情報に対応する情報の提供を要求する要求処理手段と、
前記要求処理手段による要求に応じて、前記第２の通信を利用して前記情報処理装置から送信されてきた前記情報を受信する受信処理手段と
を備える
情報提供システム。
【請求項１１】  提供する情報に関する案内をそれぞれ表示する複数の表示部と、複数の前記表示部にそれぞれ配置され、近接された通信端末から送信された電磁波を受信することにより発生された誘起電力に基づいて動作する第１の無線通信部を有する情報処理装置において、
複数の前記第１の無線通信部のうち、前記通信端末が近接された前記第１の無線通信部に対して設定されている第１の識別情報と、自分自身の第２の識別情報を、前記通信端末が近接された前記第１の無線通信部による第１の通信を利用して前記通信端末に提供する第１の提供処理手段と、
前記第１の無線通信部と異なる、第２の無線通信部を用いた第２の通信のための同期を前記通信端末との間で確立する同期確立処理手段と、
前記同期確立処理手段により同期が確立された前記第２の通信を利用して、前記通信端末から前記第１の識別情報が送信されてきたとき、前記第１の識別情報に対応する情報を取得する情報取得処理手段と、
前記情報取得処理手段により取得された前記情報を、前記第２の通信を利用して前記通信端末に提供する第２の提供処理手段と
を備える情報処理装置。
【請求項１２】  前記情報取得処理手段は、前記通信端末に提供する前記情報を、前記情報処理装置に設けられる記憶部、または前記情報処理装置の近傍に設けられる記憶部から取得する
請求項１１に記載の情報処理装置。
【請求項１３】  前記情報取得処理手段は、前記通信端末に提供する前記情報を、ネットワークを介して所定のサーバから取得する
請求項１１に記載の情報処理装置。
【請求項１４】  前記表示部に表示される前記案内を、他の案内に変更する変更処理手段をさらに備え、
前記情報取得処理手段は、前記変更処理手段により変更された前記他の案内に応じて、前記通信端末に対して提供する前記情報を取得する
請求項１１に記載の情報処理装置。
【請求項１５】  提供する情報に関する案内をそれぞれ表示する複数の表示部と、複数の前記表示部にそれぞれ配置され、近接された通信端末から送信された電磁波を受信することにより発生された誘起電力に基づいて動作する第１の無線通信部を有する情報処理装置の情報処理方法において、
複数の前記第１の無線通信部のうち、前記通信端末が近接された前記第１の無線通信部に対して設定されている第１の識別情報と、自分自身の第２の識別情報を、前記通信端末が近接された前記第１の無線通信部による第１の通信を利用して前記通信端末に提供する第１の提供処理ステップと、
前記第１の無線通信部と異なる、第２の無線通信部を用いた第２の通信のための同期を前記通信端末との間で確立する同期確立処理ステップと、
前記同期確立処理ステップの処理により同期が確立された前記第２の通信を利用して、前記通信端末から前記第１の識別情報が送信されてきたとき、前記第１の識別情報に対応する情報を取得する情報取得処理ステップと、
前記情報取得処理ステップの処理により取得された前記情報を、前記第２の通信を利用して前記通信端末に提供する第２の提供処理ステップと
を含む情報処理方法。
【請求項１６】  提供する情報に関する案内をそれぞれ表示する複数の表示部と、複数の前記表示部にそれぞれ配置され、近接された通信端末から送信された電磁波を受信することにより発生された誘起電力に基づいて動作する第１の無線通信部を有する情報処理装置のプログラムにおいて、
複数の前記第１の無線通信部のうち、前記通信端末が近接された前記第１の無線通信部に対して設定されている第１の識別情報と、自分自身の第２の識別情報を、前記通信端末が近接された前記第１の無線通信部による第１の通信を利用して前記通信端末に提供する第１の提供処理ステップと、
前記第１の無線通信部と異なる、第２の無線通信部を用いた第２の通信のための同期を前記通信端末との間で確立する同期確立処理ステップと、
前記同期確立処理ステップの処理により同期が確立された前記第２の通信を利用して、前記通信端末から前記第１の識別情報が送信されてきたとき、前記第１の識別情報に対応する情報を取得する情報取得処理ステップと、
前記情報取得処理ステップの処理により取得された前記情報を、前記第２の通信を利用して前記通信端末に提供する第２の提供処理ステップと
をコンピュータに実行させるプログラム。
【請求項１７】  情報処理装置に設けられている複数の無線通信部のうち、近接された前記無線通信部と電磁波を介して通信する第１の無線通信部を有する通信端末において、
前記第１の無線通信部による第１の通信を利用して、近接された前記無線通信部に設定されている第１の識別情報と、前記情報処理装置に設定されている第２の識別情報を取得する取得処理手段と、
前記取得処理手段により取得された前記第２の識別情報に基づいて、前記第１の無線通信部と異なる、第２の無線通信部を用いた第２の通信のための同期を前記情報処理装置との間で確立する同期確立処理手段と、
前記同期確立処理手段により同期が確立された前記第２の通信を利用して、前記取得処理手段により取得された前記第１の識別情報を前記情報処理装置に送信し、前記第１の識別情報に対応する情報の提供を要求する要求処理手段と、
前記要求処理手段による要求に応じて、前記第２の通信を利用して前記情報処理装置から送信されてきた前記情報を受信する受信処理手段と
を備える通信端末。
【請求項１８】  前記同期確立処理手段は、自分自身の近傍に存在する、前記情報処理装置を含む複数の端末から、それぞれの端末に関する属性情報を取得し、前記第２の識別情報に基づいて、前記第２の識別情報に対応する前記属性情報を送信してきた前記情報処理装置との間で同期を確立する
請求項１７に記載の通信端末。
【請求項１９】  前記要求処理手段は、自分自身の近傍に存在する、前記同期確立処理手段により同期が確立された前記情報処理装置を含む複数の端末からそれぞれの端末名情報を取得し、前記第２の識別情報に基づいて、前記第２の識別情報に対応する前記端末名情報を送信してきた前記情報処理装置を特定し、前記情報処理装置に対して前記情報の提供を要求する
請求項１７に記載の通信端末。
【請求項２０】  情報処理装置に設けられている複数の無線通信部のうち、近接された前記無線通信部と電磁波を介して通信する第１の無線通信部を有する通信端末のプログラムにおいて、
前記第１の無線通信部による第１の通信を利用して、近接された前記無線通信部に設定されている第１の識別情報と、前記情報処理装置に設定されている第２の識別情報を取得する取得処理ステップと、
前記取得処理ステップの処理により取得された前記第２の識別情報に基づいて、前記第１の無線通信部と異なる、第２の無線通信部を用いた第２の通信のための同期を前記情報処理装置との間で確立する同期確立処理ステップと、
前記同期確立処理ステップの処理により同期が確立された前記第２の通信を利用して、前記取得処理ステップの処理により取得された前記第１の識別情報を前記情報処理装置に送信し、前記第１の識別情報に対応する情報の提供を要求する要求処理ステップと、
前記要求処理ステップの処理による要求に応じて、前記第２の通信を利用して前記情報処理装置から送信されてきた前記情報を受信する受信処理ステップと
をコンピュータに実行させるプログラム。
【手続補正３】
【補正対象書類名】明細書
【補正対象項目名】０００１
【補正方法】変更
【補正の内容】
【０００１】
【発明の属する技術分野】
本発明は、情報提供システム、情報処理装置および方法、通信端末、並びにプログラムに関し、特に、利用者により指定された情報を容易に提供できるようにする情報提供システム、情報処理装置および方法、通信端末、並びにプログラムに関する。
【手続補正４】
【補正対象書類名】明細書
【補正対象項目名】００１１
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３３
【補正方法】変更
【補正の内容】
【００３３】
本発明の第１の情報提供システムにおいては、複数の第１の無線通信部のうち、通信端末が近接された第１の無線通信部による第１の通信を利用して、通信端末の識別情報が取得され、取得された識別情報に基づいて、第１の無線通信部と異なる、第２の無線通信部を用いた第２の通信のための同期が通信端末との間で確立される。また、通信端末が近接された第１の無線通信部が特定され、特定された第１の無線通信部に応じて、通信端末に対して提供する情報が取得される。そして、同期が確立された通信端末に対して、取得された情報が第２の通信により提供される。また、情報処理装置からの要求に応じて、電磁波を介して通信する第３の無線通信部による第１の通信を利用して、自らの識別情報が提供され、第３の無線通信部と異なる、第４の無線通信部を用いた第２の通信のための同期が情報処理装置との間で確立される。さらに、同期が確立された第２の通信を利用して、情報処理装置から送信されてきた情報が受信され、受信された情報が出力される。
【手続補正８】
【補正対象書類名】明細書
【補正対象項目名】００３５
【補正方法】変更
【補正の内容】
【００３５】
本発明の第２の情報提供システムにおいては、複数の第１の無線通信部のうち、通信端末が近接された第１の無線通信部に対して設定されている第１の識別情報と、自分自身の第２の識別情報が、通信端末が近接された第１の無線通信部による第１の通信を利用して通信端末に提供され、第１の無線通信部と異なる、第２の無線通信部を用いた第２の通信のための同期が通信端末との間で確立される。そして、同期が確立された第２の通信を利用して、通信端末から第１の識別情報が送信されてきたとき、第１の識別情報に対応する情報が取得され、取得された情報が、第２の通信を利用して通信端末に提供される。また、第３の無線通信部による第１の通信を利用して、近接された第１の無線通信部に設定されている第１の識別情報と、情報処理装置に設定されている第２の識別情報が取得され、取得された第２の識別情報に基づいて、第３の無線通信部と異なる、第４の無線通信部を用いた第２の通信のための同期が情報処理装置との間で確立される。さらに、同期が確立された第２の通信を利用して、取得された第１の識別情報が情報処理装置に送信され、第１の識別情報に対応する情報の提供が要求される。そして、要求に応じて、第２の通信を利用して情報処理装置から送信されてきた情報が受信される。
【手続補正９】
【補正対象書類名】明細書
【補正対象項目名】００３７
【補正方法】変更
【補正の内容】
【００３７】
本発明の通信端末およびプログラムにおいては、第１の無線通信部による第１の通信を利用して、近接された無線通信部に設定されている第１の識別情報と、情報処理装置に設定されている第２の識別情報が取得され、取得された第２の識別情報に基づいて、第１の無線通信部と異なる、第２の無線通信部を用いた第２の通信のための同期が情報処理装置との間で確立される。また、同期が確立された第２の通信を利用して、取得された第１の識別情報が情報処理装置に送信され、第１の識別情報に対応する情報の提供が要求される。そして、要求に応じて、第２の通信を利用して情報処理装置から送信されてきた情報が受信される。
【手続補正１０】
【補正対象書類名】明細書
【補正対象項目名】０２７４
【補正方法】変更
【補正の内容】
【０２７４】
【発明の効果】
本発明の情報提供システムによれば、通信端末の利用者は、所望する情報を容易に取得することができる。
【手続補正１１】
【補正対象書類名】明細書
【補正対象項目名】０２７５
【補正方法】変更
【補正の内容】
【０２７５】
本発明の第１の情報処理装置および方法、並びにプログラムによれば、様々な情報を、それを所望する利用者に容易に提供することができる。
【手続補正１２】
【補正対象書類名】明細書
【補正対象項目名】０２７６
【補正方法】変更
【補正の内容】
【０２７６】
本発明の第２の情報提供システムによれば、所望する情報を容易に取得することができる。
【手続補正１３】
【補正対象書類名】明細書
【補正対象項目名】０２７７
【補正方法】変更
【補正の内容】
【０２７７】
本発明の第２の情報処理装置および方法、並びにプログラムによれば、様々な情報を、それを所望する利用者に容易に提供することができる。
【手続補正１４】
【補正対象書類名】明細書
【補正対象項目名】０２７８
【補正方法】変更
【補正の内容】
【０２７８】
本発明の通信端末およびプログラムによれば、所望する情報を容易に取得することができる。